(57)【要約】【課題】ＩＥＥＥ１３９４装置間でポイントトウポイント接続が行われている場合に、ＩＥＥＥ１３９４規格やＩＥＣ６１８８３−１規格に違反することなく、ポイントトウポイント接続を確立した機器とは異なる機器からポイントトウポイント接続を切断できるようにする。【解決手段】ポイントトウポイント接続を確立した機器（制御装置１０１）とは異なる機器（制御／被制御装置１０２）が、（１）自機器内のＩＥＥＥ１３９４回路の動作をリセットするとともに所定の期間後に回路の再起動を行うか、あるいは、所定の期間だけＩＥＥＥ１３９４回路への電源供給を停止する、（２）自機器内のリンク層１４２の動作を停止するとともにバスリセットを発行し、所定の期間だけ物理層１３２は動作させたままリンク層の動作を停止する、（３）自機器の機器固有情報を変更するとともにバスリセットを発行する、のいずれかの動作を行う。【選択図】図６
2009200877.tif 000002
【特許請求の範囲】
【請求項１】
ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
自ＩＥＥＥ１３９４装置内のＩＥＥＥ１３９４用の回路の動作をリセットし、所定の期間後に前記回路の再起動を行うか、あるいは、所定の期間だけ前記回路への電源供給を停止することで、前記ポイントトウポイント接続確立手段で確立されている前記ポイントトウポイント接続を切断するポイントトウポイント接続切断手段とを、
有するＩＥＥＥ１３９４装置。
【請求項２】
ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
前記ＩＥＥＥシリアルバス上の初期化信号として機能するバスリセットを前記ＩＥＥＥ１３９４シリアルバス上に発行するバスリセット発行手段と、
前記バスリセット発行手段に前記バスリセットを発行させるとともに、自ＩＥＥＥ１３９４装置内のリンク層の動作を所定の期間だけ停止することで、前記ポイントトウポイント接続確立手段で確立されている前記ポイントトウポイント接続を切断するポイントトウポイント接続切断手段とを、
有するＩＥＥＥ１３９４装置。
【請求項３】
ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
前記ＩＥＥＥシリアルバス上の初期化信号として機能するバスリセットを前記ＩＥＥＥ１３９４シリアルバス上に発行するバスリセット発行手段と、
前記他のＩＥＥＥ１３９４装置に対して示す自ＩＥＥＥ１３９４装置の機器固有情報を変更するとともに前記バスリセット発行手段に前記バスリセットを発行させることで、前記ポイントトウポイント接続確立手段で確立されている前記ポイントトウポイント接続を切断するポイントトウポイント接続切断手段とを、
有するＩＥＥＥ１３９４装置。
【発明の詳細な説明】
【技術分野】
【０００１】
本発明は、ＩＥＥＥ（Institute of Electrical and Electronic Engineers）１３９４方式（ＩＥＥＥ１３９４規格、及びそれに関連する規格やスペック）に基づいて動作するＩＥＥＥ１３９４装置に関する。
【背景技術】
【０００２】
ＩＥＥＥ１３９４規格、及び、下記の非特許文献１で規定されているＩＥＣ（International Electrotechnical Commission）６１８８３−１規格のＣＭＰ（Connection Management Procedure：コネクションマネージメントプロシージャ）に準拠したＤ−ＶＨＳ（Data Video Home System）（登録商標）レコーダ、ＡＶＨＤＤ（登録商標）レコーダ、ＢＤ（Blu-ray Disc）（登録商標）レコーダ（以降、これらを総称してレコーダと記載する）は、ＩＥＥＥ１３９４バスに接続されていた機器のうち、ＤＴＶ（デジタルチューナ搭載テレビ）やＳＴＢ（セットトップボックス）などからの制御によって記録動作が行われる第１の場合と、ＤＶ（Digital Video）フォーマットやＨＤＶ（High-Definition Video）フォーマットなどのデジタルビデオカメラ（以降、これらを総称してカムコーダと記載する）に対しては、レコーダからの制御によってカムコーダのストリームを記録する第２の場合の２通りの記録方法が存在する。
【０００３】
ＩＥＥＥ１３９４バス上に接続された機器間でストリームを伝送して記録するためにはＣＭＰに従った動作を行う必要がある。上述の第１の場合は、制御装置（制御機器）であるＤＴＶやＳＴＢのｏＰＣＲ（output Plug Control Register：アウトプットプラグコントロールレジスタ）から被制御装置（被制御機器）であるレコーダのｉＰＣＲ（input Plug Control Register：インプットプラグコントロールレジスタ）に対してポイントトウポイント（point-to-point）接続してコネクションをアクティブにし、制御装置から送信したストリームをレコーダに受信させたうえで記録させる。一方、上述の第２の場合は、レコーダが制御装置となって、自身のｉＰＣＲから被制御装置のカムコーダのｏＰＣＲに対してポイントトウポイント接続してコネクションをアクティブにし、カムコーダからストリームを送信させることによってレコーダに記録する。
【０００４】
本来、制御装置からのポイントトウポイント接続は、記録モード時や再生モニタ時などのストリームの送受信が必要な場合にのみ行えばよいが、実際には、制御対象装置を選択した時点で、ストリームの送受信の必要がないにもかかわらずポイントトウポイント接続をし、選択が解除されるまで接続を継続してしまうＩＥＥＥ１３９４装置が市場に多数存在する。
【非特許文献１】ＩＥＣ６１８８３−１、ＩＥＥＥＳｔｄ１３９４−１９９５
【発明の開示】
【発明が解決しようとする課題】
【０００５】
従来のレコーダなどの被制御装置において、自身のｉＰＣＲが１つしか存在しない場合には、その唯一のｉＰＣＲに対して制御装置からポイントトウポイント接続が確立された状態では、ＣＭＰの規格では、その接続を切断できるのは制御装置のみであり、被制御装置であるレコーダ自らがそのポイントトウポイント接続を切断することはできない。すなわち、ポイントトウポイント接続を行ったＩＥＥＥ１３９４装置（ポイントトウポイント接続元のＩＥＥＥ１３９４装置）と、そのポイントトウポイント接続を受けたＩＥＥＥ１３９４装置（ポイントトウポイント接続先のＩＥＥＥ１３９４装置）との間において、ポイントトウポイント接続元のＩＥＥＥ１３９４装置しか、そのポイントトウポイント接続を切断することができない。
【０００６】
したがって、レコーダ自らは制御装置との間のポイントトウポイント接続を切断できないので、別の被制御装置（例えば、カムコーダなどのような被制御装置）にポイントトウポイント接続を行って、カムコーダから出力されるストリームを記録することは不可能である。一方、ｉＰＣＲを２つ以上搭載している機器では、制御装置からのポイントトウポイント接続に使用されているｉＰＣＲとは異なるｉＰＣＲを用いてカムコーダにポイントトウポイント接続を行えばストリームの記録が可能となるが、ＣＭＰの規格では、同時にストリームを受信できる数よりも多くｉＰＣＲを搭載することができず、同時に１つのストリームしか受信できない機器では、ｉＰＣＲを１つしか搭載することができない。
【０００７】
上記の問題を解決するため、本発明は、あるＩＥＥＥ１３９４装置（ポイントトウポイント接続元のＩＥＥＥ１３９４装置）からポイントトウポイント接続されているＩＥＥＥ１３９４装置（ポイントトウポイント接続先のＩＥＥＥ１３９４装置）が、そのポイントトウポイント接続を自ら切断できるようにすることを目的とする。
【課題を解決するための手段】
【０００８】
上記の目的を達成するため、本発明によれば、ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
自ＩＥＥＥ１３９４装置内のＩＥＥＥ１３９４用の回路の動作をリセットし、所定の期間後に前記回路の再起動を行うか、あるいは、所定の期間だけ前記回路への電源供給を停止することで、前記ポイントトウポイント接続確立手段で確立されている前記ポイントトウポイント接続を切断するポイントトウポイント接続切断手段とを、
有するＩＥＥＥ１３９４装置が提供される。
【０００９】
また、上記の目的を達成するため、本発明によれば、ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
前記ＩＥＥＥシリアルバス上の初期化信号として機能するバスリセットを前記ＩＥＥＥ１３９４シリアルバス上に発行するバスリセット発行手段と、
前記バスリセット発行手段に前記バスリセットを発行させるとともに、自ＩＥＥＥ１３９４装置内のリンク層の動作を所定の期間だけ停止することで、前記ポイントトウポイント接続確立手段で確立されている前記ポイントトウポイント接続を切断するポイントトウポイント接続切断手段とを、
有するＩＥＥＥ１３９４装置が提供される。
【００１０】
また、上記の目的を達成するため、本発明によれば、ＩＥＥＥ１３９４方式に準拠したＩＥＥＥ１３９４装置であって、
前記ＩＥＥＥ１３９４方式に準拠した他のＩＥＥＥ１３９４装置とＩＥＥＥ１３９４シリアルバスを介して接続する接続手段と、
前記他のＩＥＥＥ１３９４装置から自ＩＥＥＥ１３９４装置の方向に行われるポイントトウポイント接続を確立するポイントトウポイント接続確立手段と、
前記ＩＥＥＥシリアルバス上の初期化信号として機能するバスリセットを前記ＩＥＥＥ１３９４シリアルバス上に発行するバスリセット発行手段と、
前記他のＩＥＥＥ１３９４装置に対して示す自ＩＥＥＥ１３９４装置の機器固有情報を変更するとともに前記バスリセット発行手段に前記バスリセットを発行させることで、前記ポイントトウポイント接続確立手段で確立されている前記ポイントトウポイント接続を切断するポイントトウポイント接続切断手段とを、
有するＩＥＥＥ１３９４装置が提供される。
【発明の効果】
【００１１】
本発明は、上記の構成を有しており、ＩＥＣ６１８８３−１の規格に違反することなく、あるＩＥＥＥ１３９４装置（ポイントトウポイント接続元のＩＥＥＥ１３９４装置）からポイントトウポイント接続されているＩＥＥＥ１３９４装置（ポイントトウポイント接続先のＩＥＥＥ１３９４装置）が、そのポイントトウポイント接続を自ら切断できるようになり、ポイントトウポイント接続を切断したポイントトウポイント接続先のＩＥＥＥ１３９４装置が新たに別のＩＥＥＥ１３９４装置との間で別のポイントトウポイント接続を確立することができるようになる。
【発明を実施するための最良の形態】
【００１２】
以下、図面を参照しながら、本発明の第１〜第３の実施の形態について説明する。まず、図１〜図５を参照しながら、本発明の第１〜第３の実施の形態を説明する際に前提とするシステムについて説明する。
【００１３】
図１は、本発明の第１〜第３の実施の形態におけるＩＥＥＥ１３９４バスの接続形態の一例を示す図である。図１には、ＩＥＥＥ１３９４バス上に、ＤＴＶやＳＴＢなどの制御装置１０１、レコーダなどの制御及び被制御可能な装置（すなわち、制御装置及び被制御装置の両方の機能を有する装置、以降、制御／被制御装置と呼ぶ）１０２、カムコーダなどの被制御装置１０３が接続されている接続形態が図示されている。
【００１４】
なお、図１において、制御装置１０１と制御／被制御装置１０２とがＩＥＥＥ１３９４バス１０４で接続されており、制御／被制御装置１０２と被制御装置１０３とがＩＥＥＥ１３９４バス１０５で接続されているが、例えば制御／被制御装置１０２がＩＥＥＥ１３９４バスの末端に接続される接続形態を始めとして、ループにならない接続であれば、どのような接続形態であってもよい。本発明の実施の形態では、図１（さらには図２）に図示されている接続形態を前提として説明を行うが、その他の任意の接続形態においても同様に本発明を適用することが可能である。
【００１５】
また、図２は、図１に図示されているＩＥＥＥ１３９４バスの接続形態をＩＥＣ６１８８３−１のＣＭＰに従った形式で表した図である。図２において、制御装置１０１、制御／被制御装置１０２、被制御装置１０３はいずれもＣＭＰに準拠しており、ストリーム送信用の論理的なｏＰＣＲとストリーム受信用の論理的なｉＰＣＲを搭載している。ｏＰＣＲ、ｉＰＣＲ共に最大３２個まで実装でき、［  ］内の数値でプラグナンバを指定する。このナンバは０から順に（プラグ数−１）まで数値が設定される。このプラグ数は、同時に入力あるいは出力可能なストリームの受信数あるいは送信数を意味する。
【００１６】
さらに、ＣＭＰに準拠している制御装置１０１、制御／被制御装置１０２、被制御装置１０３は、各機器固有の出力プラグ及び入力プラグの情報（プラグ数やデータレートケーパビリティなどのコンフィギュレーションデータ）の格納レジスタとしてアウトプットマスタコントロールレジスタ（ｏＭＰＲ：output Master Plug Register）とインプットマスタコントロールレジスタ（ｉＭＰＲ：input Master Plug Register）を有している。
【００１７】
なお、本発明の実施の形態では、制御装置１０１、制御／被制御装置１０２、被制御装置１０３が同時に送信あるいは受信できるストリームは１つとし、各々のｏＰＣＲ、ｉＰＣＲはｏＰＣＲ［０］、ｉＰＣＲ［０］のみを搭載しているものとする。また、制御装置１０１、制御／被制御装置１０２、被制御装置１０３は、それぞれｏＭＰＲ、ｉＭＰＲ、ｏＰＣＲ、ｉＰＣＲを有するが、図２では、各機器間のポイントトウポイント接続のストリームの流れやポイントトウポイント接続が確立された方向を考慮して、便宜的に制御装置１０１のｏＭＰＲ１１１及びｏＰＣＲ［０］１２１、制御／被制御装置１０２のｉＭＰＲ１１２及びｉＰＣＲ［０］１２２、被制御装置１０３のｏＭＰＲ１１３及びｏＰＣＲ［０］１２３のみが図示されている。
【００１８】
図２において、制御装置１０１は、アイソクロナスストリームを制御／被制御装置１０２に送信するために、自身のｏＰＣＲ［０］１２１から制御／被制御装置１０２のｉＰＣＲ［０］１２２にポイントトウポイント接続を確立する。なお、図２には、ＩＥＥＥ１３９４バス２０１において、アイソクロナスチャンネル内を制御装置１０１から制御／被制御装置１０２へ流れるアイソクロナスストリームの方向が実線２０３によって示されており、制御装置１０１のｏＰＣＲ［０］１２１から制御／被制御装置１０２のｉＰＣＲ［０］１２２に対して確立されているポイントトウポイント接続の方向が点線２０４によって示されている。
【００１９】
なお、ＣＭＰの規格では、ポイントトウポイント接続を確立した機器のみが、その接続を切断できることになっており、この場合では、ポイントトウポイント接続を確立した制御装置１０１のみにこのポイントトウポイント接続を切断する権限があり、制御／被制御装置１０２にはこのポイントトウポイント接続を切断する権限はない。
【００２０】
また、図３及び図４には、図２に図示されている制御装置１０１から制御／被制御装置１０２へのポイントトウポイント接続が確立された後の制御装置１０１のｏＰＣＲ［０］１２１の値の一例、及び、制御／被制御装置１０２のｉＰＣＲ［０］１２２の値の一例がそれぞれ図示されている。さらに、図５には、図３及び図４に図示されているＰＣＲの各データ要素の説明が図示されている。
【００２１】
図５に図示されている表に従えば、図３及び図４に図示されているｏＰＣＲ［０］及びｉＰＣＲ［０］の各データ要素は、制御装置１０１が制御／被制御装置１０２に対して、アイソクロナスチャンネル３２ｃｈ、データレートＳ４００、ペイロード５８４バイト（ＭＰＥＧ２−ＴＳの３アイソクロナスストリームのバイト数）で、アイソクロナスストリームをポイントトウポイント送信していることを意味している。
【００２２】
＜第１の実施の形態＞
次に、本発明の第１の実施の形態における制御／被制御装置１０２が、制御装置１０１からのポイントトウポイント接続を強制的に切断する場合について説明する。
【００２３】
図６は、本発明の第１の実施の形態における制御装置１０１と制御／被制御装置１０２との間の接続形態をＩＥＥＥ１３９４のハードウェアの見地から描写した図である。図６において、制御装置１０１の物理層１３１のポート１４３は、制御／被制御装置１０２の物理層１３２のポート１４４に接続されている。制御／被制御装置１０２の内部では、物理層１３２と上位層であるリンク層１４２とがバス１７２を介して接続されており、さらに、リンク層１４２はＣＰＵ（Central Processing Unit：中央演算処理装置）１５２にバス１６２を介して接続されている。
【００２４】
本発明の第１の実施の形態では、ＣＰＵ１５２は、物理層１３２（さらに可能であればリンク層１４２）に対して制御信号を出力することで、物理層１３２（さらに可能であればリンク層１４２）の動作を停止させるためのリセット又はパワーセーブ（電力節約）信号を発行するか、あるいは、物理層１３２（さらに可能であればリンク層１４２）の動作に必要な電力を供給する電源のオン／オフ（ＯＮ／ＯＦＦ）制御を行うことが可能である。なお、ＩＥＥＥ１３９４に係る通信を行うための物理層１３２及びリンク層１４２の回路をＩＥＥＥ１３９４回路と呼ぶことにする。
【００２５】
上述のＣＰＵ１５２からの制御信号による制御によって、制御／被制御装置１０２のＩＥＥＥ１３９４回路のリセット又はパワーセーブが行われるか、あるいは、ＩＥＥＥ１３９４回路の電源がオフ（ＯＦＦ）になることで、制御装置１０１は、ＩＥＥＥ１３９４バス上の制御／被制御装置１０２の存在を検出できなくなるため、ポイントトウポイント接続を解除し、制御装置１０１のｏＰＣＲ［０］１２１（例えば図３に図示されているｏＰＣＲ［０］）のｐｏｉｎｔ−ｔｏ−ｐｏｉｎｔ  ｃｏｎｎｅｃｔｉｏｎ  ｃｏｕｎｔｅｒの値を１から０（接続なし）に変更し、ポイントトウポイント接続を切断する。
【００２６】
その後、制御／被制御装置１０２は、再びＣＰＵから制御信号を出力して、ＩＥＥＥ１３９４回路を再起動させる。再起動が行われた際には、制御／被制御装置１０２のｉＰＣＲ［０］１２２も初期化されており、制御装置１０１と接続されていない状態となっている。したがって、制御／被制御装置１０２は、例えば図９に図示されているように、再起動後に所定の時間経過した後（ＣＭＰの規格に従えば１秒後）、別の被制御装置（例えば被制御装置１０３）にポイントトウポイント接続を行うことが可能となる。なお、図９には、制御／被制御装置１０２が、自身のｉＰＣＲ［０］１２２から被制御装置１０３のｏＰＣＲ［０］１２３の方向２０６にポイントトウポイント接続（被制御装置１０３から制御／被制御装置１０２の方向にストリーム伝送）２０５を確立した状態が図示されている。
【００２７】
また、図１０Ａ、図１０Ｂ、図１１には、本発明の第１の実施の形態における制御被制御装置１０２及び被制御装置１０３の実際のポイントトウポイント接続の設定例が図示されている。図１０Ａは、本発明の第１の実施の形態における被制御装置１０３のｏＰＣＲ［０］１２３が制御／被制御装置１０２のｉＰＣＲ［０］１２２とポイントトウポイント接続を行う前の値の一例、図１０Ｂは、本発明の第１の実施の形態における被制御装置１０３のｏＰＣＲ［０］１２３が制御／被制御装置１０２のｉＰＣＲ［０］１２２とポイントトウポイント接続を行った後の値の一例を示す図である。
【００２８】
図１０Ａは、ポイントトウポイント接続前の被制御装置１０３はチャンネル６３ｃｈ、データレートＳ１００でブロードキャスト出力を行っていることを示しており、図１０Ｂは、ポイントトウポイント接続後、同一のチャンネル、同一のデータレートでポイントトウポイント接続に変更された状態を示している。
【００２９】
また、図１１は、本発明の第１の実施の形態における制御／被制御装置１０２のｉＰＣＲ［０］１２２が被制御装置１０３のｏＰＣＲ［０］１２３とポイントトウポイント接続を行った後の値の一例を示す図である。図１１には、ポイントトウポイント接続後の制御／被制御装置１０２が、６３ｃｈでポイントトウポイント接続を行っている状態が示されている。
【００３０】
以上、説明したように、本発明の第１の実施の形態によれば、ポイントトウポイント接続を行っている機器のうち、ポイントトウポイント接続を本来切断することができない機器（すなわち、ポイントトウポイント接続を確立した機器とは異なる機器）が、自機器内の回路の動作をリセットさせるとともに所定の期間後にＩＥＥＥ１３９４回路の再起動を行うか、あるいは、所定の期間だけＩＥＥＥ１３９４回路への電源供給を停止させることで、ポイントトウポイント接続を切断することが可能となる。
【００３１】
＜第２の実施の形態＞
次に、本発明の第２の実施の形態における制御／被制御装置１０２が、制御装置１０１からのポイントトウポイント接続を強制的に切断する場合について説明する。なお、以下では、図６に図示されている制御装置１０１と制御／被制御装置１０２との間の接続形態を参照しながら、本発明の第２の実施の形態について説明する。
【００３２】
本発明の第２の実施の形態では、制御／被制御装置１０２のＣＰＵ１５２が、物理層１３２のＬＰＳ（リンクパワーステータス：Link Power Status）端子の制御信号を出力することで、物理層１３２とリンク層１４２との間の通信の切断を制御する。なお、この物理層１３２のＬＰＳ端子の制御信号を“Ｌ”にした場合には、物理層１３２とリンク層１４２との通信が切断され、バスリセット後にＩＥＥＥ１３９４バス上にブロードキャストする自己識別パケットのＬビットが“０”となる。
【００３３】
図１２には、本発明の第２の実施の形態における制御／被制御装置１０２がブロードキャストする自己識別パケットのデータ構成の一例が図示されている。さらに、図１３には、図１２に図示されている自己識別パケットの各データ要素の説明が図示されている。図１２において、自己識別パケットのＬビットはリンクがアクティブか否かを示す情報であり、Ｌビットが“０”の場合はリンクが動作していない状態、Ｌビットが“１”の場合はでリンクが動作している状態を示す。
【００３４】
制御装置１０１から制御／被制御装置１０２の方向にポイントトウポイント接続が確立されている図６の状態において、制御／被制御装置１０２のＣＰＵ１５２は、物理層１３２に対して “Ｌ”に設定された物理層１３２のＬＰＳ端子の制御信号を送り、さらにこの制御信号（実際には、ＣＰＵ１５２からリンク層１４２を介して物理層１３２に送られる）による指示で、ＩＥＥＥシリアルバス上にバスリセットを発行する。
【００３５】
ＩＥＥＥ１３９４バス上に制御／被制御装置１０２からバスリセットが発行されると、バスリセット前に確立したポイントトウポイント接続は、ＩＥＣ６１８８３−１のＣＭＰ規格により、すべて解除される。例えば、図７に図示されているように、バスリセット発生後の制御／被制御装置１０２のｉＰＣＲ［０］１２２の値は、ポイントトウポイント接続を示すｐｏｉｎｔ−ｔｏ−ｐｏｉｎｔ  ｃｏｎｎｅｃｔｉｏｎ  ｃｏｕｎｔｅｒの値が“０”（接続なし）となる。その結果、制御装置１０１は、バスリセット後に再度、制御／被制御装置１０２に対してポイントトウポイント接続を再確立する必要がある。
【００３６】
しかしながら、制御装置１０１は、制御／被制御装置１０２がバスリセット後に発行する自己識別パケットのＬビットが“０”であることを確認すると、この機器（制御／被制御装置１０２）はリンク層が存在しない物理層だけ（ＣＭＰも動作せず、機器固有情報もない）の機器であると識別し、制御／被制御装置１０２に対してポイントトウポイントの再接続を行わない。
【００３７】
制御装置１０１は制御／被制御装置１０２の動作復帰直後に制御／被制御装置１０２とのポイントトウポイントの再接続を行おうとする場合があるので、制御／被制御装置１０２は、物理層のみが動作している旨を通知する状態を所定の期間（例えば、数百ミリ秒）以上保持することが望ましい。そして、その期間の完了後、制御／被制御装置１０２は、ＣＰＵ１５２から物理層１３２に対して“Ｈ”に設定された物理層１３２のＬＰＳ端子の制御信号を送ることで、リンクを再度アクティブにするとともに、さらに制御信号による指示で、ＩＥＥＥシリアルバス上にバスリセットを発行する。これにより、制御／被制御装置１０２は通常の動作（リンクがアクティブな状態）に戻り、上述の本発明の第１の実施の形態と同様に、所定の期間（例えば、ＣＭＰの規格に従えば１秒）が経過した後、制御／被制御装置１０２は、被制御装置（例えば、被制御装置１０３）との間でポイントトウポイント接続を行うことが可能となる。
【００３８】
以上、説明したように、本発明の第２の実施の形態によれば、ポイントトウポイント接続を行っている機器のうち、ポイントトウポイント接続を本来切断することができない機器（すなわち、ポイントトウポイント接続を確立した機器とは異なる機器）が、自装置内のリンク層１４２の動作を停止するとともにバスリセットを発行し、所定の期間だけ物理層は動作させたままリンク層の動作を停止させることで、ポイントトウポイント接続を切断することが可能となる。
【００３９】
＜第３の実施の形態＞
次に、本発明の第３の実施の形態における制御／被制御装置１０２が、制御装置１０１からのポイントトウポイント接続を強制的に切断する場合について説明する。
【００４０】
図８は、本発明の第３の実施の形態における制御装置１０１と制御／被制御装置１０２との間の接続形態を示す図である。図８において、制御／被制御装置１０２は、制御装置１０１からポイントトウポイント接続された時点において、機器固有情報として固有情報Ａ３０１を実装しているものとする。なお、機器固有情報とは、ＥＵＩ６４（グローバルユニークＩＤ）に代表される、その機器固有でユニークな情報（ＩＤ）である。通常、ＩＥＥＥ１３９４機器を個別に識別する場合、バスリセットするたびに変更し得るＩＥＥＥ１３９４規格で定義されるｎｏｄｅ＿ＩＤではその機器を特定できないため、機器固有情報でＩＥＥＥ１３９４バス上の機器を識別する必要がある。
【００４１】
制御／被制御装置１０２が制御装置１０１から制御／被制御装置１０２の方向に確立されているポイントトウポイント接続を切断する場合、制御／被制御装置１０２のＣＰＵ１５２は、その機器固有情報を固有情報Ｂ３０２に切り換えるとともに、物理層に制御信号を創出することでＩＥＥＥ１３９４バス上にバスリセットを発行する。バスリセットが発生すると、バスリセット前に確立したポイントトウポイント接続は、ＩＥＣ６１８８３−１のＣＭＰ規格に基づいてすべて解除されるため、制御装置１０１は、バスリセット後に再度、制御／被制御装置１０２に対してポイントトウポイント接続を再確立する必要がある。
【００４２】
制御装置１０１は、制御／被制御装置１０２に再度ポイントトウポイント接続を確立するために、制御装置１０１のＩＥＥＥ１３９４コマンド制御部（不図示）から、制御／被制御装置１０２の機器固有情報の読み出し要求を行うコマンドを制御／被制御装置１０２に送信する（固有情報の読み出し要求１４５）。それに対して、制御／被制御装置１０２は、バスリセット前に設定されていた固有情報Ａとは異なる固有情報Ｂで応答する（固有情報Ｂによる応答１４６）。制御装置１０１は、バスリセット前の固有情報Ａ３０１の機器をＩＥＥＥシリアルバス上に発見することができず、制御／被制御装置１０２に対してポイントトウポイントの再接続を行えない。なお、この状態から、上述の本発明の第１の実施の形態と同様に、ＣＭＰの規格に従って所定の時間（例えば１秒）後に制御／被制御装置１０２から被制御装置１０３にポイントトウポイント接続を行うことが可能となる。
【００４３】
また、図１４には、本発明の第３の実施の形態における動作の一例を示すフローチャートが図示されている。まず、ステップＳ４０１において、制御装置１０１のｏＰＣＲ［０］１２１は、制御／被制御装置１０２のｉＰＣＲ［０］１２２にポイントトウポイント接続を確立する。このようにポイントトウポイント接続が確立された状態で制御／被制御装置１０２が制御装置１０１との間のポイントトウポイント接続を切断しようとした場合、制御／被制御装置１０２は機器固有情報を固有情報Ａ３０１から固有情報Ａ３０２に切り換えるとともに、ＩＥＥＥ１３９４バス上にバスリセットを発行する（ステップＳ４０２）。
【００４４】
バスリセットが発行されたことで、ＣＭＰ規格により、制御装置１０１のｏＰＣＲ［０］１２１と制御／被制御装置１０２のｉＰＣＲ［０］１２２との間のポイントトウポイント接続が切断される（ステップＳ４０３）。制御装置１０１は制御／被制御装置１０２と再度ポイントトウポイント接続を行うため、固有情報Ａ３０１を持っていた制御／被制御装置１０２を探すが、制御／被制御装置１０２の機器固有情報は固有情報Ａから固有情報Ｂに既に変更されているため、制御装置１０１は固有情報Ａを持っていたはずの制御／被制御装置１０２を発見することができない。その結果、制御装置１０１は、制御／被制御装置１０２に対して、バスリセット後に所定の期間（例えば１秒）以内でポイントトウポイント接続を再度行うことができない（ステップＳ４０４）。その結果、制御／被制御装置１０２は、その所定の期間（例えばバスリセット１秒後）が経過した後、制御／被制御装置１０２のｉＰＣＲ［０］１２２から被制御装置１０３のｏＰＣＲ［０］１２３にポイントトウポイント接続を行うことが可能となる（ステップＳ４０５）。
【００４５】
以上、説明したように、本発明の第３の実施の形態によれば、ポイントトウポイント接続を行っている機器のうち、ポイントトウポイント接続を本来切断することができない機器（すなわち、ポイントトウポイント接続を確立した機器とは異なる機器）が、自装置の識別情報を変更するとともにバスリセットを発行することで、ポイントトウポイント接続を切断することが可能となる。
【産業上の利用可能性】
【００４６】
本発明は、ＩＥＣ６１８８３−１の規格に違反することなく、あるＩＥＥＥ１３９４装置（ポイントトウポイント接続元のＩＥＥＥ１３９４装置）からポイントトウポイント接続されているＩＥＥＥ１３９４装置（ポイントトウポイント接続先のＩＥＥＥ１３９４装置）が、そのポイントトウポイント接続を切断できるようにするという効果を有しており、ＩＥＥＥ１３９４方式に基づいて動作するＩＥＥＥ１３９４シリアルバスに関する技術に適用可能である。
【図面の簡単な説明】
【００４７】
【図１】本発明の第１〜第３の実施の形態におけるＩＥＥＥ１３９４バスの接続形態の一例を示す図である。
【図２】図１に図示されているＩＥＥＥ１３９４バスの接続形態をＩＥＣ６１８８３−１のＣＭＰに従った形式で表した図である。
【図３】図２に図示されている制御装置から制御／被制御装置へのポイントトウポイント接続が確立された後の制御装置のｏＰＣＲ［０］の値の一例を示す図である。
【図４】図２に図示されている制御装置から制御／被制御装置へのポイントトウポイント接続が確立された後の制御／被制御装置のｉＰＣＲ［０］の値の一例を示す図である。
【図５】図３及び図４に図示されているＰＣＲの各データ要素の説明を示す図である。
【図６】本発明の第１の実施の形態における制御装置と制御／被制御装置との間の接続形態をＩＥＥＥ１３９４のハードウェアの見地から描写した図である。
【図７】本発明の第２の実施の形態において、バスリセット発生後の制御／被制御装置のｉＰＣＲ［０］の値の一例を示す図である。
【図８】本発明の第３の実施の形態における制御装置と制御／被制御装置との間の接続形態を示す図である。
【図９】本発明の第１の実施の形態において、制御／被制御装置のｉＰＣＲ［０］から被制御装置のｏＰＣＲ［０］の方向にポイントトウポイント接続が確立された状態を示す図である。
【図１０Ａ】本発明の第１の実施の形態における被制御装置のｏＰＣＲ［０］が制御／被制御装置のｉＰＣＲ［０］とポイントトウポイント接続を行う前の値の一例を示す図である。
【図１０Ｂ】本発明の第１の実施の形態における被制御装置のｏＰＣＲ［０］が制御／被制御装置のｉＰＣＲ［０］とポイントトウポイント接続を行った後の値の一例を示す図である。
【図１１】本発明の第１の実施の形態における制御／被制御装置のｉＰＣＲ［０］が被制御装置のｏＰＣＲ［０］とポイントトウポイント接続を行った後の値の一例を示す図である。
【図１２】本発明の第２の実施の形態における制御／被制御装置がブロードキャストする自己識別パケットのデータ構成の一例を示す図である。
【図１３】図１２に図示されている自己識別パケットの各データ要素の説明を示す図である。
【図１４】本発明の第３の実施の形態における動作の一例を示すフローチャートである。
【符号の説明】
【００４８】
１０１  制御装置
１０２  制御／被制御装置
１０３  被制御装置
１０４、１０５、２０２  ＩＥＥＥシリアルバス
１１１、１１３  ｏＭＰＲ
１１２  ｉＭＰＲ
１２１、１２３  ｏＰＣＲ［０］
１２２  ｉＰＣＲ［０］
１３１、１３２  物理層
１４２  リンク層
１４５  固有情報の読み出し要求
１４６  固有情報Ｂによる応答
１５２  ＣＰＵ
２０１  アイソクロナスチャンネル
２０３、２０５  アイソクロナスストリームの流れの方向
２０４、２０６  ポイントトウポイント接続が確立された方向
３０１  固有情報Ａ
３０２  固有情報Ｂ
【図１】
2009200877.tif 000003
【図２】
2009200877.tif 000004
【図３】
2009200877.tif 000005
【図４】
2009200877.tif 000006
【図５】
2009200877.tif 000007
【図６】
2009200877.tif 000008
【図７】
2009200877.tif 000009
【図８】
2009200877.tif 000010
【図９】
2009200877.tif 000011
【図１０Ａ】
2009200877.tif 000012
【図１０Ｂ】
2009200877.tif 000013
【図１１】
2009200877.tif 000014
【図１２】
2009200877.tif 000015
【図１３】
2009200877.tif 000016
【図１４】
2009200877.tif 000017